(57)【要約】【課題】  使用する電源の種類に応じた効率的な欠陥位置の検出処理を実行する。【解決手段】  ＡＣアダプタとバッテリとにより電力供給を受ける装置であって、  記録媒体に対して情報データを記録する記録手段と、前記記録媒体上の欠陥位置を検出する欠陥位置検出手段と、前記ＡＣアダプタによる電力供給時と前記バッテリによる電力供給時とで、前記欠陥位置検出手段の検出動作を切り替える制御手段とを備える。【選択図】  図１
2006120192.tif 000002
【特許請求の範囲】
【請求項１】
ＡＣアダプタとバッテリとにより電力供給を受ける装置であって、
記録媒体に対して情報データを記録する記録手段と、
前記記録媒体上の欠陥位置を検出する欠陥位置検出手段と、
前記ＡＣアダプタによる電力供給時と前記バッテリによる電力供給時とで、前記欠陥位置検出手段の検出動作を切り替える制御手段とを備える記録装置。
【請求項２】
前記装置の電源をオン・オフする電源スイッチを備え、
前記制御手段は、前記バッテリによる電力供給時には前記電源がオン状態のときのみ前記欠陥位置の検出を行い、前記ＡＣアダプタによる電力供給時には前記電源がオフ状態のときに前記欠陥位置の検出を行うよう欠陥位置検出手段を制御することを特徴とする請求項１記載の記録装置。
【請求項３】
前記記録手段は前記欠陥位置検出手段による欠陥位置の検出に伴って設定された代替位置に対して前記欠陥位置に記録すべき情報データを記録することを特徴とする請求項１記載の記録装置。
【請求項４】
前記制御手段は、前記バッテリによる電力供給時においては、前記情報データの記録停止の指示に応じて、次回の記録開始位置から順次記録位置を移動しながら欠陥位置を検出することを特徴とする請求項１または２記載の記録装置。
【請求項５】
前記欠陥検出手段により検出された欠陥位置の情報を記憶するメモリを備え、前記制御手段は更に、前記記録媒体の排出指示に応じて前記メモリに記憶された欠陥位置の情報を消去することを特徴とする請求項１記載の記録装置。
【発明の詳細な説明】
【技術分野】
【０００１】
本発明は記録装置に関し、特に記録媒体上の欠陥位置の検出処理に関する。
【背景技術】
【０００２】
従来の記録装置には、記録、再生以外のモードにおいて、バックグラウンドでダミーデータをディスクの空きエリアへ記録、記録終了後に記録したデータのベリファイを実施する記録装置がある。（例えば、特許文献１参照。）
【特許文献１】特開２００２−３２４３６３
【発明の開示】
【発明が解決しようとする課題】
【０００３】
しかしながら、上記従来技術の構成では、バックグラウンドフォーマットを一つの盤面に付き一回のみ実行するだけであるので、携行可能な画像記録装置における、頻繁な記録ディスク挿抜時に発生するディスクへの汚れ付着を原因とする、新たな欠陥領域発生に関して考慮されたものでは無い。また、携行可能な画像記録装置においては、バッテリーによる電源供給が一般的である為、常にバックグラウンドフォーマットを実施していると、肝心な撮影記録時に電源容量の不足により装置が動作しないといった事態に陥る危険がある。
【０００４】
近年、ビデオテープレコーダに代わり、ディスクを記録媒体としたビデオディスクレコーダが製品化され始めている。ディスクレコーダにおいて、ディスク欠陥部を発見した後に、交替記録領域を探すといったプロセスが追加されると、記録画像途切れが発生する。また、欠陥として認識されるディスク物理状態はディスク表面に付着する汚れによる事が多い。といった問題がある。
【０００５】
本発明はこの様な問題を解決し、使用する電源の種類に応じた効率的な欠陥位置の検出処理を実行することを目的とする。
【課題を解決するための手段】
【０００６】
本発明においては、ＡＣアダプタとバッテリとにより電力供給を受ける装置であって、記録媒体に対して情報データを記録する記録手段と、前記記録媒体上の欠陥位置を検出する欠陥位置検出手段と、前記ＡＣアダプタによる電力供給時と前記バッテリによる電力供給時とで、前記欠陥位置検出手段の検出動作を切り替える制御手段とを備える。
【発明の効果】
【０００７】
使用する電源の種類に応じて効率的に欠陥位置の検出処理を実行することができる。
【発明を実施するための最良の形態】
【０００８】
以下、図面を参照しながら本発明の好適な実施の形態を説明する。
【０００９】
図２は本発明の一実施形態である画像ディスク記録装置としてのビデオディスクレコーダの構成を示すブロック図である。
【００１０】
図２において10はカメラ回路、12は撮像処理回路、14は画像メモリ回路、20はディスクの回転速度を制御するスピンドルモータ、21はディスクへのデータ書込み、読出しを行うピックアップとディスクの半径方向相対位置を制御するシークモータ、22はピックアップ上に実装されている対物レンズとディスクの半径方向相対位置を制御するトラッキングアクチュエータ、23はピックアップ上に実装されている対物レンズとディスクの相対距離を制御するフォーカスアクチュエータ、16は20、21のモータと22、23のアクチュエータの動作制御を行うサーボ回路、24はディスクへのデータ書込み、データ読出しを行うピックアップ、18は変復調回路、28はメモリ、30は各メモリの読出し書込み調停、各信号処理回路の読出し書込み調停などを行うＣＰＵ、26は各メモリの読出し書込み時の伝送、各信号処理回路の読出し書込み時の伝送に供されるシステムバス、32は電源監視回路、34は操作モード監視回路である。
【００１１】
まず、記録時の装置基本動作を説明する。30のＣＰＵは、32の電源監視回路の状態と34の操作モード監視回路の状態を常時監視しており、32、34の回路が記録モードを示している場合にカメラからの入力画像データをディスクへ書込み記録動作させる。32の電源監視回路は当記録装置へ供給されている電源の状況を監視する回路である。つまり、供給電源がバッテリー供給で有るか、ＡＣＤＣ変換アダプタ供給であるか、あるいはいずれの電源も接続されていないかの別を監視する。34の操作モード監視回路は筐体外部に露出しているユーザーインターフェースの操作キーを監視し、ユーザーが利用しようとしているモードを把握する。本発明に関係のあるモードとしては、電源ＯＮ／ＯＦＦの別と、ＲＥＣ／ＲＥＣ  ＰＡＵＳＥ／ＰＬＡＹなどの記録再生メカ動作モードが挙げられ、ユーザーによるこれらの操作キーへの接触状況を監視する。32の電源監視回路において、バッテリーあるいはＡＣＤＣ変換アダプタ供給が検知され、34の操作モード監視回路において、電源ＯＮかつＲＥＣの操作キー接触が検知されると、30のＣＰＵはカメラの撮像データをディスクへ記録する。この時の記録データ信号の流れを説明する。10のカメラ回路はＣＣＤで撮像された画像をＡＤ変換し、デジタル画像データを出力する。このデジタル画像データは12の撮像処理回路において画像サイズ調整、ゲイン調整などを施した画像生データを生成したのち、画像圧縮を行い記録用画像データを出力する。記録用画像データは14の画像メモリへ入力し、30のＣＰＵより出力要求が来るまで一旦蓄積される。記録用画像データは28のメモリにて、画像に付随するテキストデータやヘッダ、ＥＣＣ用フラグなどを追加され、18の変復調回路へ送られる。次に18の変復調回路にて、ディスク特性に合致した変調が施され、24のピックアップにてレーザーダイオードの発光に変換され、レーザーダイオード出力の記録パワーにて出力されると、ディスク上のパターンとして記録がなされる。
【００１２】
記録する画像データはディスク上の予め決められた領域へ記録される。図３はディスク上の領域区分を模式的に表記したものである。大きく分けてディスク上の記録領域は管理エリア500という記録生データ以外の管理情報を保存する領域とデータエリア600という記録データを保存する領域がある。管理エリアはさらに、ディスク媒体特性などを保存するディスク情報エリア510、ディスク上の欠陥領域、交替領域を保存する欠陥管理エリア520、データエリアの使用履歴、次に記録開始する箇所を保存するポインタ管理エリア530の三つのエリアに役割分割できる。また、データエリアは、記録済みのデータエリア610、未記録のデータエリア620に分割できる。画像データは連続的に記録してデータの途切れを無くす為、記録済みエリアと未記録エリアはそれぞれ固まった領域として存在し、この二つのエリアの分岐点の位置情報を530のポインタ管理エリアが保存している。
【００１３】
24のピックアップがディスクへデータを書込むに際しては、16のサーボ回路が21のシークモータの動作制御を行いディスク半径上のピックアップ位置決めを行う。16のサーボ回路は30のＣＰＵの指示に基づき制御され、次の様に、ピックアップ位置を制御する。最初にまず図３、530のディスクポインタ管理エリアに移動させ、ここで画像データ記録を開始するディスク位置（以下次記録開始アドレスと記述）を読取り、次に、ポインタ管理エリアに保存されている図３、620の未記録のデータエリア先頭位置（すなわち次記録開始アドレス）までピックアップを移動させ、位置アドレスを参照更新しながら画像データの書込みを行い、ユーザーからの記録終了キー操作のタイミングで書込みを止め、再びディスクポインタ管理エリアに移動させ、記録完了した位置の情報を登録させる。
【００１４】
21のシークモータは粗い制御のみが可能であり、ディスクとピックアップの相対位置関係を細かな制御する事はシークモータでは行えない。この記録動作の間の細かな制御は16のサーボ回路が、20のスピンドルモータ、22のトラッキングアクチュエータ、23のフォーカスアクチュエータをコントロールして位置決めを行う。20のスピンドルモータは、24のピックアップがディスク上の予めスタンプされた溝に刻まれているタイミング信号を読取り、このタイミング信号から16のサーボ回路がスピンドルモータドライブ信号を生成し、ピックアップに対するとディスクの回転速度が一定となるように制御される。22のトラッキングアクチュエータ、23のフォーカスアクチュエータは24のピックアップに搭載されている対物レンズの位置を制御する。レーザーダイオードの発光光がディスクの記録溝によって反射された光をピックアップ上に備えられた不図示の分割センサで受光し、この分割センサの検出光バランスをサーボ回路で演算し、この演算結果により対物レンズとトラック溝のずれ具合、対物レンズとディスクの垂直距離のずれ具合の検査をし、このずれを補正する方向へアクチュエータを動作させ対物レンズ位置を制御する。
【００１５】
次に図１を使って、本発明の一実施形態である画像ディスク記録装置としてのビデオディスクレコーダの欠陥検査のプロセスを説明する。図２は図１、30のＣＰＵのディスク欠陥検査に関する制御内容を示したもので、ＣＰＵが図１に示した各ブロックを制御させながら実行する。
【００１６】
まず、図２、32の電源監視回路を参照し、画像ディスク記録装置電源がＯＮ状態か、ＯＦＦ状態かを検査する（ステップS110）。ＯＮの場合は、最初にまず図２、21のシークモータを16サーボ回路が制御し、図３、530のディスクポインタ管理エリアに移動させ、次記録開始アドレスを読取り、このアドレスを図２、28のメモリへ保存する（ステップS120）。次に、図２、34の操作モード監視回路を参照し、画像ディスク記録装置のイジェクトキー状態を検査する（ステップS122）。ユーザーによるイジェクトキー操作が有った場合、ディスクの挿抜が有ったと仮定し、ステップS134で後述する28のメモリの検査済アドレステーブル、欠陥アドレステーブルを全て消去する（ステップS124）。このように動作させる事により、ユーザーがディスクに接触する間に付着するディスク汚れによる欠陥部を、当該ディスク記録直前に発見する事が可能になる。そして、ステップS120へ戻り、あらためて挿入されたディスクの次記録開始アドレスを読取る。
【００１７】
一方、ステップS122でイジェクトキー操作を検知しなかった場合は、次に、図２、34の操作モード監視回路を参照し、画像ディスク記録装置の記録再生メカ動作モードを検査する（ステップS130）。モードがＲＥＣ  ＰＡＵＳＥあるいはＳＴＯＰの場合はステップS134へ進む。ＲＥＣ  ＰＡＵＳＥあるいはＳＴＯＰ以外のモード（ＲＥＣ、ＰＬＡＹ、ＦＦ、ＲＥＷ、など）の場合はユーザーが指定した動作モードを実行し（ステップS132）実行完了を待ってステップ130へ戻る。
【００１８】
一方、ステップ130にてＲＥＣ  ＰＡＵＳＥあるいはＳＴＯＰを検出した場合は、図２、28のメモリへ記録されている次記録開始アドレスを読取り、これを検査アドレスとして28のメモリの検査済アドレステーブルへ記録する（ステップS134）。これを受け図２、16のサーボ回路は、24のピックアップの読取りアドレスを参照しながら、検査アドレスまで24のピックアップを移動させる様、21のシークモータを制御し、22のトラッキングアクチュエータにより対物レンズ位置の微調整を行う。検査アドレスが出力されるべき物理的ディスク位置へ移動させ、28のメモリへ記録されている検査アドレスと、24のピックアップが読取るアドレスの合致検査を30のＣＰＵが実施する（ステップS140）。ディスクへは連続性を持つ値がアドレスとして予め刻み込まれているため、前後のディスクのアドレスも利用して検査を行う。その結果、読取りのリトライを繰り返しても、ディスクに予め刻まれているアドレスが読取れない、あるいは、検査アドレスが読み出せない場合、欠陥有りと判断し、この検査アドレスを欠陥アドレスとして、28のメモリの欠陥アドレステーブルへ記録する(ステップS142)。検査の方法として、ダミーデータの書込み読出し試験をする方法もあるが、検査に時間を要する為、アドレスの読出しだけによる簡易検査で検査時間の短縮を実現している。
【００１９】
28のメモリの欠陥アドレステーブルの例を図４に示す。欠陥アドレステーブルは検査アドレスが読み出せない欠陥アドレスと、その欠陥アドレスを交替記録するアドレスを一組にして記録する。動画記録の場合、途切れない画像を記録する為に、記録時極力シークモータを大きく動作させない連続領域上に記録する必要が有る為、交替記録する領域は隣接するアドレスを設定する。一方、ステップS140にて28のメモリへ記録され、30のＣＰＵが現在保持している検査アドレスと、24のピックアップが読取るアドレスが合致した場合は、欠陥無しと判断する。次に、ステップS140にて欠陥有りと判断された場合、欠陥無しと判断された場合のいずれも、ステップS146へ移行し、30 のＣＰＵ内の検査アドレスをインクリメントさせる。
【００２０】
本形態の場合、欠陥アドレステーブル、検査済アドレステーブルとも、画像ディスク記録装置内部のメモリ28に記録させ、ディスク排出の際にテーブルをリセットさせるのが特徴である。もちろん、メモリ28のデータをディスク上の欠陥管理エリア520へ書き戻しても良い。
【００２１】
次に、図２、32の電源監視回路を参照し、画像ディスク記録装置電源がＯＮ状態か、ＯＦＦ状態かを検査する（ステップS150）。ＯＮの場合は、ステップS122へ戻り、ステップS122からステップS150のルーチンを繰り返す。
【００２２】
一方、ステップS150にて、画像ディスク記録装置電源ＯＦＦに変化していた場合は、図２、32の電源監視回路を参照し、画像ディスク記録装置電源へ接続されている電源がバッテリーであるか、ＡＣアダプタであるかを検査する（ステップS160）。接続されている電源がバッテリーである場合はステップS110へと移行し、画像ディスク記録装置の電源がＯＮとなるのを待ち受ける。つまり、バッテリー使用時に機器電源ＯＦＦ状態で欠陥検査を実施すると、バッテリー消耗が激しく、ユーザーの使い勝手が悪い為、電源ＯＦＦ状態での欠陥検査はＡＣアダプタによる電源供給時に限定させている。一方、接続されている電源がＡＣアダプタである場合はステップS222へ移行する。ステップS222の動作に関しては後述する。
【００２３】
図１の冒頭のステップS110にて、図２、32の電源監視回路を参照し、画像ディスク記録装置電源がＯＮ状態か、ＯＦＦ状態かを検査した結果がＯＦＦの場合は、図２、32の電源監視回路を参照し、画像ディスク記録装置電源へ接続されている電源がバッテリーであるか、ＡＣアダプタであるかを検査する（ステップS210）。接続されている電源がバッテリーである場合はステップS210を繰り返し、接続される電源がＡＣアダプタとなるのを待ち受ける。
【００２４】
一方、接続されている電源がＡＣアダプタの場合はステップS220からの欠陥検査ルーチンへと移行する。つまり、バッテリー使用時に機器電源ＯＦＦ状態で欠陥検査を実施すると、バッテリー消耗が激しく、ユーザーの使い勝手が悪い為、電源ＯＦＦ状態での欠陥検査はＡＣアダプタによる電源供給時に限定させている。ステップS222ではまず図２、21のシークモータを16サーボ回路が制御し、図３、530のディスクポインタ管理エリアに移動させ、次記録開始アドレスを読取り、このアドレスを図２、28のメモリへ保存する。次に、図２、34の操作モード監視回路を参照し、画像ディスク記録装置のイジェクトキー状態を検査する（ステップS222）。ユーザーによるイジェクトキー操作が有った場合、ディスクの挿抜が有ったと仮定し、28のメモリの検査済アドレステーブル、欠陥アドレステーブルを全て消去する（ステップS224）。このように動作させる事により、ユーザーがディスクに接触する間に付着するディスク汚れによる欠陥部を、当該ディスク記録直前に発見する事が可能になる。そして、ステップS220へ戻り、あらためて挿入されたディスクの次記録開始アドレスを読取る。
【００２５】
一方、ステップS222でイジェクトキー操作を検知しなかった場合は、次に、図２、28のメモリへ記録されている次記録開始アドレスを読取り、これを検査アドレスとして28のメモリの検査済アドレステーブルへ記録する（ステップS234）。これを受け図２、16のサーボ回路は、24のピックアップの読取りアドレスを参照しながら、検査アドレスまで24のピックアップを移動させる様、21のシークモータを制御し、22のトラッキングアクチュエータにより対物レンズ位置の微調整を行う。検査アドレスが出力されるべき物理的ディスク位置へ移動させ、28のメモリへ記録されている検査アドレスと、24のピックアップが読取るアドレスの合致検査を30のＣＰＵが実施する（ステップS240）。ディスクへは連続性を持つ値がアドレスとして予め刻み込まれているため、前後のディスクのアドレスも利用して検査を行う。その結果、読取りのリトライを繰り返しても、ディスクに予め刻まれているアドレスが読取れない、あるいは、検査アドレスが読み出せない場合、欠陥有りと判断し、この検査アドレスを欠陥アドレスとして、28のメモリの欠陥アドレステーブルへ記録する(ステップS242)。
【００２６】
一方、ステップS240にて28のメモリへ記録され、30のＣＰＵが現在保持している検査アドレスと、24のピックアップが読取るアドレスが合致した場合は、欠陥無しと判断する。次に、ステップS240にて欠陥有りと判断された場合、欠陥無しと判断された場合のいずれも、ステップS246へ移行し、30 のＣＰＵ内の検査アドレスをインクリメントさせる。次に、図２、32の電源監視回路を参照し、画像ディスク記録装置電源がＯＮ状態か、ＯＦＦ状態かを検査する（ステップS250）。ＯＮへ変化した場合は、ステップS270へ戻り、ステップS122からステップS150のルーチンを繰り返す。一方、ステップS250にて、画像ディスク記録装置電源がまだＯＦＦであった場合は、ステップS222へ戻り、ステップS222からステップS250のルーチンを繰り返す。
【００２７】
このようにして欠陥アドレスを内部メモリ28へ登録した画像ディスク記録装置は、記録モードの際に、欠陥検査結果を受けて次の様な動作をする。最初に、ディスク上の図３、530のポインタ管理エリアに記録されている次記録開始アドレスを読み込み、位置アドレスを更新しながら画像データの書込みを行うのに平行して、常に図２、28のメモリへ記録されている欠陥アドレステーブルの一組にして記録された欠陥アドレスと、その欠陥アドレスを交替記録するアドレスを参照し、現在の記録位置アドレスが欠陥アドレスである場合は、16のサーボ回路が21のシークモータを制御して24のピックアップを交替記録するアドレスまで送り、正常な領域へ画像データを記録させる。
【図面の簡単な説明】
【００２８】
【図１】本発明の実施例の欠陥検査プロセスフローチャートである。
【図２】本発明の実施例のビデオディスクレコーダの構成を示すブロック図である。
【図３】本発明の実施例のディスクの領域区分である。
【図４】本発明の実施例のメモリ上の欠陥アドレステーブルである。
【図１】
2006120192.tif 000003
【図２】
2006120192.tif 000004
【図３】
2006120192.tif 000005
【図４】
2006120192.tif 000006